(57)【要約】【課題】仮設足場の妻側等にも手摺り付筋交い３ａを設ける。【解決手段】対の支柱１の複数を建物Ｈに対して前後となるように建物に沿って所要間隔で立設し、フランジ１１からなる緊結部４を介し、手摺り付筋交い３、３ａ及び足場板取付用布材５、５０を設けた仮設足場である。その妻側布材５０は、対の支柱間に亘る棒状部材５１と、その両端の筋交い３の端が係止された緊結部４を覆って嵌る嵌合部５２とからなり、その嵌合部は、筋交い端を避けた湾状片５２ａと、その先端に緊結部４にその上側から嵌る半割筒５２ｂとからなる。布材５０はフランジ１１の係止孔１２に嵌め込めないため、手摺り付筋交い３ａの斜材３２下端と上下方向のほぼ同一面に取付け得る。このため、仮設足場の妻側足場板２においても、その妻側に筋交い３ａを設けることができて安全性が向上する。棒状部材５１の端のストッパ５３によって布材５０を筋交い３ａの斜杆３２に係止して両者を一体化する。【選択図】図１
2014234685.tif 000002
【特許請求の範囲】
【請求項１】
対向する対の支柱（１、１）を、前後左右に立設した仮設建物において、各支柱（１）にその長さ方向所要間隔にそれぞれ緊結部（４）が設けられ、前記対の支柱（１）間に前記緊結部（４）を介して筋交い（３ａ）を設け、その筋交い（３ａ）を設けた緊結部（４）でもって前記対の支柱（１）間に取付けられる布材（５０）であって、
上記対の支柱（１）間に亘る棒状部材（５１）と、その棒状部材（５１）の両端の上記筋交い（３）の端が係止された緊結部（４）を覆って嵌る嵌合部（５２）とからなる仮設建物用布材。
【請求項２】
上記嵌合部（５２）は、筋交い端を避けた湾状片（５２ａ）と、その湾状片（５２ａ）先端に設けた前記筋交い（３）の端が係止された上記緊結部（４）にその上側から嵌る半割筒（５２ｂ）とからなる請求項１に記載の仮設建物用布材。
【請求項３】
上記棒状部材（５１）の端に上記筋交い（３）の端に係止するストッパ（５３）を回転可能に設けた請求項１又は２に記載の仮設建物用布材。
【発明の詳細な説明】
【技術分野】
【０００１】
この発明は、仮設足場等の仮設建物における足場板等を取付けるための支柱間に設けられる布材に関するものである。
【背景技術】
【０００２】
例えば、仮設足場には、図１０に示すように、建地材となる縦柱等の前後一対の支柱１、１の複数を建物Ｈに沿って所要間隔で立設し、その建物Ｈに沿った支柱１、１間の高さ方向の適宜位置に足場板２を設けるとともに、その足場板２の前面に（又は後面にも）手摺り付筋交い３を設けた構造のものがある（特許文献１）。
【０００３】
この仮設足場においては、各支柱１にその長さ方向所要間隔にそれぞれ緊結部４が設けられており、その緊結部４は、前後左右に計４個の係止孔を有するフランジ形式のもの（特許文献１図６〜図９参照）と、同前後左右それぞれ高さを異ならせた計４個の断面コ字状ホルダ形式のもの（同文献１図１５〜図１８参照）等がある。
通常、その手摺り付筋交い３はその端をこの各緊結部４に嵌め込んで支柱１に取付けられる（同文献１図６〜図１８参照）。このとき、各緊結部４の左右（図１において左右の支柱１、１間の対向する側）の係止孔又はホルダが使用される。
また、足場板２は、前後の対の支柱１、１間に布材５と呼ばれる横桟（横ステー）を設け、その布材５にフック６でもって掛け渡して設置される。このとき、布材５はその端を緊結部４の前後の係止孔又はホルダに嵌め込んで取付けられる（特許文献２使用状態を示す参考図１参照）。
【先行技術文献】
【特許文献】
【０００４】
【特許文献１】特許第３８５１１０５号公報
【特許文献２】意匠登録第１３５１９４２号公報
【発明の概要】
【発明が解決しようとする課題】
【０００５】
このような仮設足場において、図１０に示すように、作業場、荷受け台又は歩行用足場となる足場板２の前後面は手摺り付筋交い３によって転落等が防止されるが、その両端（妻側）は開放状態である。このとき、その仮設足場両端の支柱１も緊結部４を有するため、その緊結部４でもって手摺り付筋交い３を妻側に設けることが考えられる。
【０００６】
しかし、一般的に、足場板取付用布材５は前後対の支柱１、１間に掛け渡されて、その布材５に足場板２が設けられる。このとき、足場板取付用布材５の取付はその前後対の支柱１、１の緊結部４の前後の係止孔又はホルダに嵌め込んで行なう。一方、その足場板２の側面（図１０における足場板２両端の上下方向面）に手摺り付筋交い３ａを設ける場合も、前後対の支柱１、１の緊結部４の前後の係止孔又はホルダに嵌め込んで行なうこととなる。すなわち、手摺り付筋交い３ａと布材５を同じ高さに係止する場合（図１参照）、一般的に、同じ間隔の支柱１、１間の同じ高さの緊結部４に手摺り付筋交い３ａの下端と布材５の両端を係止するように設定されるため、手摺り付筋交い３ａは、同じ位置の緊結部４の同じ前後の係止孔又はホルダを使用する長さ等に設定とされる。
【０００７】
したがって、例えば、仮設足場の妻側において、足場板２用の布材５を取付けた同一高さの係止孔やホルダからなる緊結部４でもって、その足場板用布材５に加えて手摺り付筋交い３ａを取付けることは困難である。すなわち、前記前後の係止孔又はホルダを使って布材５を支柱１、１間に架設して足場板２を設けると、その布材５の架設に使用した前後の係止孔又はホルダを使って手摺り付筋交い３ａを設けることはできない。
【０００８】
このため、従来では、妻側における筋交い付手摺り３ａを設けなかったり、紐等を掛け渡して筋交いの代わりをしたりしている。この場合、安全性に欠ける。
また、図１０に示すように、手摺り付筋交い３ａの取付ピッチ（間隔）の半分のピッチで緊結部４が支柱１に設けられている場合は、その半ピッチずらして手摺り付筋交い３ａを設けている。この場合、足場板２と手摺り付筋交い３ａとの間（筋交い３ａの下方）に大きな空間Ｓが生じるため、やはり安全性に欠ける。
【０００９】
なお、妻側において、手摺り付筋交い３ａの取付と布材５の取付とを同一高さの緊結部４の前後左右の異なる係止孔又はホルダを使用して（布材５の取付を前後の係止孔等とし、手摺り付筋交い３ａの下端の取付を左右の係止孔等として）行なうことが考えられる。しかし、上記のように、妻側手摺り付筋交い３ａと布材５の支柱１、１間への取付は、同じ位置の緊結部４の同じ前後の係止孔又はホルダを使用する設定とされるため、長さ等の点で、緊結部４の前後左右の異なる係止孔又はホルダを使用して行えない場合が多い。
【００１０】
このような問題は、ローリングタワー、荷受構台等においても生じており、また、仮設足場においては、妻側以外に、安全のため、前後の支柱１、１間に手摺り付筋交い３ａを取付ける場合にも生じている。
【００１１】
この発明は、以上の実状の下、足場板を設けた仮設足場妻側やローリングタワー、荷受構台等において同一高さに筋交いと足場板等用布材を取付け得るようにすることを課題とする。
【課題を解決するための手段】
【００１２】
上記課題を達成するため、この発明は、布材を緊結部ではなく、筋交いが係止した緊結部に嵌め込んで取付けるようにしたのである。
このようにすれば、筋交いはその下端を緊結部の係止孔又はホルダに係止して取付け、その緊結部に布材を取付け得るため、同一高さに筋交いと足場板用等の布材を取付け得る。
【００１３】
この発明の構成としては、対向する対の支柱を前後左右に立設した仮設建物において、各支柱にその長さ方向所要間隔にそれぞれ緊結部が設けられ、前記対の支柱間に前記緊結部を介して筋交いを設け、その筋交いを設けた緊結部でもって前記対の支柱間に取付けられる布材であって、前記対の支柱に亘る棒状部材と、その棒状部材の両端の筋交の端が係止された緊結部を覆って嵌る嵌合部とからなる構成を採用することができる。
【００１４】
この構成において、上記嵌合部は、この発明の作用効果を発揮する構成を適宜に採用すれば良いが、例えば、筋交い端を避けた湾状片と、その湾状片先端に設けた前記筋交い端が係止された緊結部にその上側から嵌る半割筒とからなる構成を採用することができる。通常、筋交いの下端と布材は上下方向のほぼ同一面上に位置するため、湾状片で筋交い端を避ければ、両者の同一面上での取付が可能であり、半割筒が緊結部に上側から嵌れば、通常、足場板は上方から力が加わるため、その半割筒で有効にその力に抗することができる。また、半割筒であることから、その半割筒に足場板のフックを掛けることもできる。
さらに、上記棒状部材の端に上記筋交いの端に係止するストッパを回転可能に設けて、布材と筋交いを一体化することが好ましい。
【発明の効果】
【００１５】
この発明は、以上のように構成し、仮設足場妻側等における支柱の同一高さに筋交いと足場板用等の布材を取付け得るようにしたので、仮設足場の妻側足場板等においてもその妻側等にその足場板等と同一高さの筋交いを設けることができて安全性が向上する。
【図面の簡単な説明】
【００１６】
【図１】この発明に係る仮設足場の一実施形態の概略斜視図
【図２】同実施形態の作用説明図
【図３】同実施形態の足場板用布材の一部省略斜視図
【図４】同布材を示し、（ａ）は一部省略平面図、（ｂ）は同正面図、（ｃ）は左側面図
【図５ａ】同実施形態の作用図
【図５ｂ】同実施形態の作用図
【図５ｃ】同実施形態の作用図
【図６】同実施形態の筋交い及び布材の取付部を示し、（ａ）は一部切断平面図、（ｂ）は同正面図、（ｃ）は（ｂ）のＩ−Ｉ線断面図
【図７】同実施形態の足場板の取付部を示し、（ａ）は一部斜視図、（ｂ）は同平面図
【図８】他の一実施形態の概略斜視図
【図９】他の実施形態の概略斜視図
【図１０】従来の仮設足場の一例の概略斜視図
【発明を実施するための形態】
【００１７】
この発明の一実施形態を図１〜図７に示し、この実施形態に係る仮設足場は、図１に示すように、建地材となる縦柱等の前後一対の支柱１、１の複数を建物Ｈに沿って所要間隔で立設し、その建物に沿った支柱１、１間の高さ方向の適宜位置に足場板２を設けるとともに、その足場板２の前面に手摺り付筋交い３を設けた構造である
【００１８】
支柱１は、図１、図２に示すように、その長さ方向所要間隔でフランジ１１からなる緊結部４が設けられており、そのフランジ１１には周囲４等分位（前後左右）に係止孔１２が形成されている。緊結部４の上下方向（前記長さ方向）の間隔は安全技術基準に基づき足場板２の設置高さ等を考慮して適宜に設定される。この実施形態では、緊結部４は、手摺り付筋交い３の取付ピッチ（間隔）の半分のピッチで設けられている。
【００１９】
足場板２は、四角枠内に網板やパンチング板等らを設けた長方形の床板２１と、その床板２１の前後縁の両端に設けたフック２２とからなり（図７参照）、従来と同様、そのフック２２を布材５に引っかけて左右の支柱１、１間に掛け渡される（設けられる）。妻側側面を除く布材５は、左右の支柱１、１間に亘る横ステーの端を係止金具でもってフランジ１１の係止孔１２に係止することによって前後の支柱１、１間に掛け渡される（特許文献２使用状態を示す参考図１参照）。
【００２０】
その足場板２の前面と妻側側面に手摺り付筋交い３、３ａが取付けられる。この両手摺り付筋交い３、３ａは、その構成は同一であり、取付ける支柱１、１間の長さによって下記の水平杆３１、斜杆３２の長さを異ならせる。このため、以下は、妻側手摺り付筋交い３ａについて説明する。
【００２１】
手摺り付筋交い３ａ（３）は、手摺りとなる水平杆３１と、その水平杆３１の両端に回転自在に設けた筋交いとなるＸ字状の斜杆３２とからなり、その両斜材３２の上端にフック３３をそれぞれ有し、斜杆３２の先端（下端）に二叉状の係止部３４を有している。図２に示すように、両斜材３２の上端のフック３３を支柱１のフランジ１１の左右の係止孔１２に嵌め込み、その後、斜杆３２の係止部３４を前記フランジ１１より下側のフランジ１１に係止して取付ける。
その斜杆３２下端のフランジ１１への取付け（係止）は、図５ａに示すように、二叉係止部３４をフランジ１１にその二叉部でもって嵌め込み、同図ｂに示すように、その二叉部及び係止孔１２にフック状係止具３５を嵌め込むことによって行なう。
【００２２】
妻側側面の足場板取付用布材５０は、上記のように、妻側の手摺り付筋交い３ａが前後の支柱１、１の対向する内側（前後）の係止孔１２を使用して取付けられるため、その係止孔１２を使用しない工夫をしている。
すなわち、妻側足場板取付用布材５０は、図３、図４に示すように、パイプ状の棒状部材５１と、その棒状部材５１の両端の嵌合部５２とからなり、その嵌合部５２は、筋交い端を避けた湾状（平面視コ字状）片５２ａと、その先端の半割筒５２ｂとからなる。棒状部材５１の長さは、支柱１、１間に合わせて適宜に設定する。また、湾状片５２ａの湾曲度も斜杆３２の太さや傾斜角度等に応じて適宜に決定する。半割筒５２ｂも円筒の真っ二つに限らず、緊結部４に嵌って外れない限りにおいてその形状も任意である。円筒に限らず、角筒の半割でも良い。湾曲片５２ａの内側にはＬ字状のストッパ５３がその基片でもって回転可能に設けられている。
【００２３】
この足場板取付用布材５０は、図５ｂに示すように、まず、フランジ１１に手摺り付筋交い３ａの斜杆３２の係止部３４を嵌めて手摺り付筋交い３ａを前後の支柱１、１間に取付ける。その後、同図実線から鎖線に示すように、ストッパ５３を下方に回転した状態でそのフランジ１１に嵌めた係止部３４の上に半割筒５２ｂを嵌め、同図ｃに示すように、ストッパ５３を上方に回転させて斜杆３２に係止させる。このとき、図６（ｂ）に示すように、そのストッパ５３はフランジ１１に対して前屈みに傾斜し、斜杆３２から容易に外れないようになる。このようにして、前後の支柱１、１の対向する内側の係止孔１２を使用することなく、前後の支柱１、１間に足場板取付用布材５０を取付ける。
この後、図７に示すように、足場板２をそのフック２２を足場板取付用布材５０の半割筒５２ｂ及び棒状部材５１に上方から嵌めてこの布材５０に取付ける。
以上のようにして、図１に示すように、仮設足場の足場板２の妻側面にも筋交い付手摺り３ａを取付ける。
【００２４】
上記実施形態は、仮設足場の妻側（最側面）に筋交い３ａを取付ける場合であったが、この発明に係る布材５０は、仮設足場の左右方向（建物Ｈに沿う方向）の途中に足場板２を設け、その足場板２の左右側面前後の支柱１、１間に筋交い３ａを取付ける場合等、仮設足場の左右方向途中においても採用し得ることは勿論である。また、上記実施形態は建物Ｈに沿わせた固定式の仮設足場の場合であったが、図８に示すように、高い部分の作業に用いる移動式の仮設足場であるローリングタワー、図９に示すように、荷受構台等において、足場板２等によって構成する作業構台、荷受け構台、ステップ台、業構台、乗り入れ構台、張り出し部分等の台面と同一高さに筋交い３ａを設ける場合（筋交い３ａの下端を緊結部４に係止し、その緊結部４でもって前記台用布材５０を取付ける場合）等にもこの発明は採用することができる。この各態様において、その布材５０は、図８、図９の鎖線で示す支柱１、１間に設けて、足場板２を前後方向に設けることもできる。
【００２５】
上記各実施形態において、手摺り付筋交い３ａに代えて、手摺り無しの筋交いでも良い。フランジ１１に代えて上記ホルダ等の他の手段を採用することもできる。なお、布材５０を取付ける前後の支柱１、１間が広く、棒状部材５１を補強する必要がある場合は、図４（ｂ）鎖線に示しように、その嵌合部５２間に添え杆５４を設けることができる。
【符号の説明】
【００２６】
１  支柱
２  足場板
３  支柱前面側手摺り付筋交い
３ａ  妻側（開放側）手摺り付筋交い
４  緊結部
１１  フランジ
１２  係止孔
２１  足場板の床板
２２  同フック
３１  筋交い付手摺りの水平杆
３２  同斜杆
３３  同フック
３４  同係合部
５、５０  足場板取付用布材
５１  同布材の棒状部材
５２  同嵌合部
５２ａ  同嵌合部の湾状片
５２ｂ  同半割筒
５３    ストッパ
【図１】
2014234685.tif 000003
【図２】
2014234685.tif 000004
【図３】
2014234685.tif 000005
【図４】
2014234685.tif 000006
【図５ａ】
2014234685.tif 000007
【図５ｂ】
2014234685.tif 000008
【図５ｃ】
2014234685.tif 000009
【図６】
2014234685.tif 000010
【図７】
2014234685.tif 000011
【図８】
2014234685.tif 000012
【図９】
2014234685.tif 000013
【図１０】
2014234685.tif 000014